(57)【要約】【課題】侵入者検知装置と外部の装置との間を結ぶ配線を、侵入者検知装置のベースの端子台に接続する際の作業ミスを減らす。【解決手段】侵入者検知装置のベースの端子台に、接続される配線材の被覆の色と同じカラー表示を追加するようにした。このカラー表示は、帯状のカラー印刷されたラベルを、端子台の配線を入線する側の基台側面に貼付したものである。このカラー表示により、作業者は、配線材の被覆の色と同じ色の端子台に、配線接続するだけで済む。【選択図】図３
2004295544.tif 000002
【特許請求の範囲】
【請求項１】
外部の電源装置と結ばれる電源用配線や、外部の制御装置と結ばれる信号用配線を接続する端子台と、侵入者検知装置本体との間で、電源と信号の受け渡しをおこなう接続機構とを備えた侵入者検知装置固定用のベースと、前記ベースに固定される侵入者検知装置本体とで構成される侵入者検知装置であって、前記ベースの端子台近傍には、そこに配線される配線材の被覆の色と同じ色のカラー表示を施したことを特徴とする侵入者検知装置。
【請求項２】
前記カラー表示が、帯状のカラー印刷されたラベルであり、前記ラベルを、前記端子台の配線を入線する側の基台側面に貼付したものであることを特徴とする請求項１に記載の侵入者検知装置。
【発明の詳細な説明】
【０００１】
【発明の属する技術分野】
本発明は、侵入者検知装置に関するものであり、特に、外部の装置との間を結ぶ配線を接続する端子台の構造に関するものである。
【０００２】
【従来の技術】
侵入者検知装置は、検知装置本体と、それを固定するベースとで構成されている。ベースは、外部の電源装置と結ばれる電源用配線や、外部の制御装置と結ばれる信号用配線を接続する端子台と、侵入者検知装置本体との間で、電源と信号の受け渡しをおこなう接続機構とを備えており、天井面や壁面等に固定される。検知装置本体をベースに固定すると、コネクタなどの接続機構を経て、検知装置本体に電源が供給され、検知装置本体から検知信号が出力される。
【０００３】
このような検知装置を設置する際には、設置しようとする天井や壁面のところまで、外部の電源装置と結ばれる電源用配線や、外部の制御装置と結ばれる信号用配線を敷設しておき、そこにベースを固定して、そのベースの端子台に配線を接続することになる。電源用配線は、電源用端子台に、信号用配線は、信号用端子台に正確に接続されて、はじめて侵入者検知装置が正常に機能することになる。
【０００４】
【発明が解決しようとする課題】
大規模な侵入警報システムでは、使用される侵入者検知装置の数が多くなり、数十台、数百台がひとつのシステム内で使用されることもある。ベースに装備される端子台には、通常は語句や数字による識別表示がされている。例えば、１番端子には電源のプラス、２番端子には電源のマイナスといった表示がなされている。配線に用いられる線材には、赤や白といった異なる被覆色のものが用いられている。作業者が配線するときには、電源のプラスは赤、電源のマイナスは白という具合に、語句と色の変換を頭の中でおこないながら、対応する端子台に接続することとなる。大規模なシステムの設置工事では、ベースの端子台への配線作業の量も当然多くなり、作業ミス（語句と色の変換ミス）による配線間違いも多く発生することになる。
【０００５】
【課題を解決するための手段】
大規模なシステムや特定の信号伝送システムの場合には、配線材の種類や色が統一されている場合が多い。そのようなシステムに用いる侵入者検知装置のベースの端子台に、最初からその配線材の被覆の色と同じカラー表示を追加するようにし、作業ミスが発生しないようにした。
【０００６】
【発明の実施の形態】
図１は、本発明の侵入者検知装置の断面図であり、壁面３０に固定された状態を示している。ベース１０の中央部には、外部の電源装置と結ばれる電源用配線と、外部の制御装置と結ばれる信号用配線（ともに図示省略）を導入する開口部１６を備えている。１３と１４は、侵入者検知装置本体２０との間で、電源と信号の受け渡しをおこなうコネクタである。侵入者検知装置本体２０をベース１０に取り付けると、自動的にこのコネクタ１３と１４が、結合するように構成されている。
【０００７】
図２は、本発明の侵入者検知装置のベース１０の正面図である。１１は、外部の電源装置と結ばれる電源用配線及び外部の制御装置と結ばれる信号用配線を接続する第１の端子台、１２は、その他の配線を接続する第２の端子台である。１５は、第１の端子台１１、第２の端子台１２、コネクタ１３を実装したプリント基板である。プリント基板１５上の印刷配線により、端子台とコネクタとの間が接続されている。
【０００８】
図３は、本発明の侵入者検知装置のベース１０の端子台付近の拡大図である。第１の端子台１１の４個の端子には、１から４の番号が表示されており、第２の端子台１２の３個の端子には、５から７の番号が表示されている。１７は、第１の端子台１１の基台側面に貼付する帯状のラベルを拡大して示したものである。左から順に、赤色、白色、青色、黄色に色分けされており、このラベルを第１の端子台１１の配線を入線する側（図中の上側）の基台側面に貼付すると、１番端子が赤色、２番端子が白色、３番端子が青色、４番端子が黄色に表示されることになる。
【０００９】
図４は、本発明の侵入者検知装置のベース１０の端子台付近の拡大図であり、外部の電源装置と結ばれる電源用配線と、外部の制御装置と結ばれる信号用配線とを、第１の端子台１１に接続した状態を示している。赤色の被覆の電線Ｌ１と、白色の被覆の電線Ｌ２が、電源用配線であり、青色の被覆の電線Ｌ３と、黄色の被覆の電線Ｌ４が、信号用配線である。第１の端子台１１の１番端子と２番端子が、電源入力用端子であり、３番端子と４番端子が信号出力用端子である。赤色の被覆の電線Ｌ１を、赤色に表示された１番端子に、白色の被覆の電線Ｌ２を、白色に表示された２番端子に、青色の被覆の電線Ｌ３を、青色に表示された３番端子に、黄色の被覆の電線Ｌ４を、黄色に表示された４番端子に、それぞれ、機械的に接続するだけで、正確な接続が完了する。
【００１０】
【発明の効果】
本発明の侵入者検知装置によれば、そのベースの端子台に、使用される配線の被覆の色に合わせた色表示を追加したので、配線作業時に、どの色の電線を、何番の端子台に接続すべきかを、作業者が記憶しておく必要が無くなり、単に、色を合わせて接続するだけで、配線作業が完了する。その結果、配線作業のミスが減少し、作業時間が短縮される。配線作業者に要求される技術レベルの許容度が拡大され、人件費を含めた作業コストの節減につながる。多色刷りのラベルを採用する分のコストアップはあるが、配線ミスによる、作業のやり直し、場合によって生ずる、配線ミスによる機器の故障といったロスを考慮すると、費用対効果の観点からも、充分メリットがある。
【図面の簡単な説明】
【図１】本発明の侵入者検知装置の断面図である。
【図２】本発明の侵入者検知装置のベース１０の正面図である。
【図３】本発明の侵入者検知装置のベース１０の端子台付近の拡大図である。
【図４】本発明の侵入者検知装置のベース１０の端子台付近の拡大図であり、第１の端子台１１に配線を接続した状態の図である。
【符号の説明】
１０・・・ベース
１１，１２・・・端子台
１３，１４・・・コネクタ
１５・・・プリント基板
１６・・・開口部
１７・・・ラベル
２０・・・侵入者検知装置本体
３０・・・壁面
Ｌ１〜Ｌ４・・・電線
【図１】
2004295544.tif 000003
【図２】
2004295544.tif 000004
【図３】
2004295544.tif 000005
【図４】
2004295544.tif 000006